(57)【要約】      （修正有）【課題】簡易な操作により首振り範囲を調節することができ、又それを連続的に行うことができる首振り範囲調節機構を備えた扇風機を提供する。【解決手段】首振り範囲調節機構部８は、回転基体１０の回転半径方向に延在する如く設けられた長孔１４と、長孔１４に沿って摺動可能な摺動部１５を介して回転基体１０の回転半径方向に移動可能に設けられ、リンクアーム１３の回転基体側軸支部１１が設けられた移動体１７と、移動体１７に設けられた螺合部１８と螺合するネジ棒１９を有すると共に、ネジ棒１９を回転基体１０に位置固定で支持する軸受部２０，２１を有し、ネジ棒１９の回転により螺合部１８をネジ棒１９に沿って直進移動させることで、移動体１７を該摺動部１５を介して回転基体１０の回転半径方向に移動させる調節用ネジユニット２２を含む。【選択図】図２
2007187165.tif 000002
【特許請求の範囲】
【請求項１】
扇風機本体部を首振り軸において横方向に首振り運動させる首振り機構部と、該首振り機構部による該扇風機本体部の首振り運動の範囲を調節する首振り範囲調節機構部を備えた扇風機において、
該首振り機構部は、首振り駆動軸により回転される回転基体と、該回転基体と該首振り軸との間に設けられ、一端に回転基体側軸支部を有し、他端に首振り軸側軸支部を有するリンクアームを含み、該首振り駆動軸により回転される回転基体の回転運動を該首振り軸に該リンクアームを介して該扇風機本体部の横方向の首振り運動として伝達するものであり、
該首振り範囲調節機構部は、該回転基体の回転半径方向に延在する如く設けられた長孔と、該長孔に沿って摺動可能な摺動部を介して該回転基体の回転半径方向に移動可能に設けられ、該リンクアームの該回転基体側軸支部が設けられた移動体と、該移動体に設けられた螺合部と螺合するネジ棒を有すると共に、該ネジ棒を該回転基体に位置固定で支持する軸受部を有し、該ネジ棒の回転により該螺合部を該ネジ棒に沿って直進移動させることで、該移動体を該摺動部を介して該回転基体の回転半径方向に移動させる調節用ネジユニットを含み、該調節用ネジユニットによる該移動体の該回転基体の回転半径方向の移動により、該移動体に設けられた該リンクアームの該回転基体側軸支部を該回転基体の回転半径方向に移動させ、該首振り駆動軸の軸心と該リンクアームの該回転基体側軸支部の軸心との間の距離を変化させるものであることを特徴とする扇風機。
【請求項２】
該回転基体は該首振り駆動軸の下方に、該移動体は該回転基体の下方に、該リンクアームの該回転基体側軸支部は該移動体の下方にそれぞれ配置されるものであり、該リンクアームの該回転基体側軸支部の該回転基体の回転半径方向における移動の軌跡中に該回転基体側軸止部の軸心と該首振り駆動軸の軸心とが重なる位置が含まれることを特徴とする請求項１記載の扇風機。
【発明の詳細な説明】
【技術分野】
【０００１】
この発明は、扇風機本体部の横方向の首振り運動範囲を調節可能な扇風機に関する。
【背景技術】
【０００２】
扇風機は、一般に、扇風羽根を含む扇風機本体部を横方向に首振り運動させる首振り機構を備えている。そして、その首振り機構部による首振り運動の範囲を調節する首振り範囲調節機構を備えたものが従来より公知である。
【０００３】
例えば、特開２００１−３４２９０号公報（特許文献１）には、首振り駆動用円板状回転体にアームの一端を回転中心から偏奇した軸支位置で軸支し、アームの他端を扇風機本体の首振り軸に軸支してなる首振り機構を備え、回転体の回転半径方向に複数の凹部を列状に形成し、アームの回転体側の軸支部を凹部の各々に嵌合可能として、アームの回転体側の軸支位置を回転体の回転半径方向に移動可能とし、回転体の回転中心とアームの回転体側の軸支位置の距離を可変とすることで、扇風機本体の首振り運動の範囲を調節可能とする首振り範囲調節機構を備えた扇風機が開示されている。
【特許文献１】特開２００１−３４２９０号公報
【発明の開示】
【発明が解決しようとする課題】
【０００４】
しかしながら、前記従来例におけるが如き首振り範囲調整機構は、複数の凹部間をアームの回転体側の軸支部を回転体の複数の凹部間を移動させるものであるので、調節の操作が面倒であり、又首振り範囲の調節を連続的に行うことができない。
【０００５】
この発明は、前記事情に鑑み、簡易な操作により首振り範囲を調節することができ、又それを連続的に行うことができる首振り範囲調節機構を備えた扇風機を提供することを目的とするものである。
【課題を解決するための手段】
【０００６】
前記の目的を達成するこの発明について述べれば、それは、扇風機本体部を首振り軸において横方向に首振り運動させる首振り機構部と、該首振り機構部による該扇風機本体部の首振り運動の範囲を調節する首振り範囲調節機構部を備えた扇風機において、該首振り機構部は、首振り駆動軸により回転される回転基体と、該回転基体と該首振り軸との間に設けられ、一端に回転基体側軸支部を有し、他端に首振り軸側軸支部を有するリンクアームを含み、該首振り駆動軸により回転される回転基体の回転運動を該首振り軸に該リンクアームを介して該扇風機本体部の横方向の首振り運動として伝達するものであり、該首振り範囲調節機構部は、該回転基体の回転半径方向に延在する如く設けられた長孔と、該長孔に沿って摺動可能な摺動部を介して該回転基体の回転半径方向に移動可能に設けられ、該リンクアームの該回転基体側軸支部が設けられた移動体と、該移動体に設けられた螺合部と螺合するネジ棒を有すると共に、該ネジ棒を該回転基体に位置固定で支持する軸受部を有し、該ネジ棒の回転により該螺合部を該ネジ棒に沿って直進移動させることで、該移動体を該摺動部を介して該回転基体の回転半径方向に移動させる調節用ネジユニットを含み、該調節用ネジユニットによる該移動体の該回転基体の回転半径方向の移動により、該移動体に設けられた該リンクアームの該回転基体側軸支部を該回転基体の回転半径方向に移動させ、該首振り駆動軸の軸心と該リンクアームの該回転基体側軸支部の軸心との間の距離を変化させるものであることを特徴とする扇風機である。
【０００７】
又、この発明は、前記の扇風機であって、該回転基体は該首振り駆動軸の下方に、該移動体は該回転基体の下方に、該リンクアームの該回転基体側軸支部は該移動体の下方にそれぞれ配置されるものであり、該リンクアームの該回転基体側軸支部の該回転基体の回転半径方向における移動の軌跡中に該回転基体側軸止部の軸心と該首振り駆動軸の軸心とが重なる位置が含まれることを特徴とする扇風機である。
【発明の効果】
【０００８】
この発明の扇風機によれば、調節用ネジユニットにおけるネジ棒を回転させるだけで、首振り駆動軸の軸心とリンクアームの回転基体側軸支部の軸心との間の距離を変化させることができ、またそれを連続的に変化させることができる。即ち、この発明の扇風機によれば、簡易な操作により首振り範囲を調節することができ、又それを連続的に行うことができる。
【発明を実施するための最良の形態】
【０００９】
この発明の実施の形態を図１乃至３に基づき説明する。尚、図１はこの発明の扇風機の全体を示す側面図であり、図２は、この発明の扇風機の首振り範囲調節機構を示し、首振り駆動軸部とリンクアームの回転側軸支部の軸心間距離が最長の状態における平面図（ａ）及び側面図（ｂ）であり、図３は、首振り駆動軸とリンクアームの回転側軸支部の軸心間距離がゼロの状態における図２に相当する図である。
【００１０】
図１に示される様に、扇風機１において、カバー２内の扇風羽根とそれを回転駆動するモータを内蔵する駆動部３を含む扇風機本体部４は垂直直方向の首振り軸部５を介して台座部６上に横方向に首振り可能に支持されている。
【００１１】
扇風機本体部４と首振り軸部５との間には、扇風機本体部４を首振り軸部５において横方向に首振り可能にし、その範囲を調節可能にする首振り機構部７と首振り範囲調節機構部８が設けられている。
【００１２】
首振り機構部７は、垂直方向の首振り駆動軸部９の下端に設けられ、首振り駆動軸部９により横方向に回転される回転基体１０と、回転基体１０と首振り軸部９との間に設けられ、一端に垂直方向の回転基体側軸支部１１を有し、他端に垂直方向の首振り軸側軸支部１２を有するリンクアーム１３を含んでおり、首振り駆動軸部９により回転される回転基体１０の回転運動を首振り軸部５にリンクアーム１３を介して扇風機本体部４の横方向の往復首振り運動として伝達することができる様に構成されている。尚、首振り駆動軸部９は駆動部３が内蔵するモータの水平方向の扇風羽根用駆動軸とギアを介して接続されており、又首振り駆動軸部９と扇風羽根駆動軸との間の接続は摘み１２を上下動させることで離接等が可能となっている。
【００１３】
図２及び図３に詳細に示される様に、首振り範囲調節機構部８は、回転基体１０にその回転半径方向に延在する如く形成された長孔１４と、回転基体１０の下面１０ｂ側に設けられ、長孔１４に沿って移動可能に上面１７ａより立設された摺動部１５を一端に有すると共に、首振り駆動軸部９を間に長孔１４とは反対側に対称状に回転基体１０の回転半径方向に延在する如く形成された図示しない長孔に沿って移動可能に上面１７ａより立設された螺合部１８を他端に有し、摺動部１５及び螺合部１８により回転基体１０に支持される如く設けられ、摺動部１５が設けられる側で且つそれよりは内側（首振り駆動軸部９側）の位置に下面１７ｂよりリンクアーム１３の回転基体側軸支部１１が設けられた移動体１７と、移動体１７の螺合部１８と螺合し、前記図示しない長孔に沿って延在するネジ棒１９を有すると共に、そのネジ棒１９を回転基体１０に位置固定で支持する第１の軸受部２０と第２の軸受部２１を有し、回転基体１０の上面１０ａ側に設けられた調節用ネジユニット２２を含んでおり、ネジ棒１９の回転により螺合部１８を第１の軸受部２０と第２の軸受部２１との間で直進移動させることで、摺動部１５を長孔１４に沿って摺動させ、即ち、移動体１７を摺動部１５を介して長孔１４に沿って移動させ、それにより首振り駆動軸部９の軸心９ａとリンクアーム１３の回転基体側軸支部１１の軸心１１ａとの間の距離Ｌを変化させることができる様に構成されている。尚、２３はネジ棒１９の操作用摘みである。
【００１４】
図２は、首振り駆動軸部９の軸心９ａとリンクアーム１３の回転基体側軸支部１１の軸心１１ａとの間の距離Ｌが最長のときの状態を示しており、この状態のときの扇風機本体部４の横方向の首振り範囲は最大となる。
【００１５】
図３は、首振り駆動軸部９の軸心９ａとリンクアーム１３の回転基体側軸支部１１の軸心１１ａとの間の距離Ｌがゼロ、即ち首振り駆動軸部９の軸心９ａとリンクアーム１３の回転基体側軸支部１１の軸心１１ａが同一線上に重なる状態を示しており、この状態のときの扇風機本体部４の横方向の首振り範囲はゼロとなる。
【００１６】
この扇風機１によれば、調節用ネジユニット２２におけるネジ棒１９を回転させるだけで、首振り駆動軸部９の軸心９ａとリンクアーム１３の回転基体側軸支部１１の軸心１１ａの回転基体の回転半径方向における距離Ｌを変化させることができ、またそれを連続的に変化させることができる。即ち、扇風機１によれば、簡易な操作により首振り範囲を調節することができ、又それを連続的に行うことができる。
【００１７】
更にこの扇風機１によれば、首振り駆動軸部９の軸心９ａとリンクアーム１３の回転基体側軸支部１１の軸心１１ａの回転半径方向における距離Ｌをゼロにすることができ、即ち首振り範囲調節機構９による調節によって首振り範囲をゼロにすることができる。
【図面の簡単な説明】
【００１８】
【図１】この発明の扇風機の全体を示す側面図である。
【図２】同上の扇風機の首振り範囲調節機構部を示し、首振り駆動軸部とリンクアームの回転側軸支部の軸心間距離が最長の状態における平面図（ａ）及び側面図（ｂ）である。
【図３】首振り駆動軸部とリンクアームの回転側軸支部の軸心間距離がゼロの状態における図２に相当する図である。
【符号の説明】
【００１９】
１    扇風機
２    カバー
３    駆動部
４    扇風機本体部
５    首振り軸部
６    台座部
７    首振り機構部
８    首振り範囲調節機構部
９    首振り駆動軸部
１０  回転基体
１１  回転基体側軸支部
１２  首振り軸側軸支部
１３  リンクアーム
１４  長孔
１５  摺動部
１７  移動体
１８  螺合部
１９  ネジ棒
２０  第１の軸受部
２１  第２の軸受部
２２  調節用ネジユニット
【図１】
2007187165.tif 000003
【図２】
2007187165.tif 000004
【図３】
2007187165.tif 000005